(57)【要約】【課題】  小型の回転シリンダを使用していながらクロストーク電流の影響が少ない回転ヘッド磁気記録再生装置を提供することを目的とする。【解決手段】  回転シリンダ上に置かれている記録再生回路に電源電力を供給する電力伝送用信号パルスで、記録再生回路内に設けられた再生増幅器のチャンネルを切り替えることにより、複数のチャンネルで共有する単一の増幅信号伝送用回転トランスを備えるので、回転シリンダの小型化が可能となる。【選択図】      図１
2006059529.tif 000002
【特許請求の範囲】
【請求項１】
回転シリンダ上の記録再生回路内に設けられた、複数のチャンネルに対応して配設された再生ヘッドにより再生された複数チャンネルの再生信号を、それぞれ増幅し、増幅信号を出力する再生増幅器と、
前記増幅信号をステータ側に伝送する回転トランスを備えた回転ヘッド磁気記録再生装置において、
前記記録再生回路に電源電力を伝送するための電力伝送用回転トランスの一次側の電流変化が交互に変化し、前記電流の積分値が０に近づくようにするものである、
ことを特徴とする回転ヘッド磁気記録再生装置。
【請求項２】
回転シリンダ上の記録再生回路内に設けられた、複数のチャンネルに対応して配設された再生ヘッドにより再生された複数チャンネルの再生信号を、それぞれ増幅し、増幅信号を出力する再生増幅器と、
前記増幅信号をステータ側に伝送する回転トランスを備えた回転ヘッド磁気記録再生装置において、
前記記録再生回路に電源電力を伝送するための電力伝送用回転トランスの一次側の電流パルスの最初のパルス幅を定常時のパルス幅の約２分の１にするものである、
ことを特徴とする回転ヘッド磁気記録再生装置。
【発明の詳細な説明】
【技術分野】
【０００１】
本発明は回転シリンダを使用する磁気記録再生装置における回転シリンダの小型化に関するものである。
【背景技術】
【０００２】
近年、磁気記録再生装置において、より高性能化の市場要求を可能にする為の高密度記録化、小型化がすすみ、それにともなって、磁気記録再生装置の回転ヘッドの回転シリンダの径の小型化、またＳ／Ｎの向上、記録密度の向上が求められている。
【０００３】
ここで、回転ヘッド磁気記録再生装置の一般的構成を図８に示す。図８より、回転ヘッド磁気記録再生装置は、供給リール８０１、巻き取りリール８０２、テープの走行を規制するために設けられた固定ガイド８０３、テープ張力制御用のガイド８０４、左右に一組ずつ配置されたガイドローラ８０５と傾角ガイド８０６、テープ８１７が安定にねじれなく巻き付けられるよう規制しているドラム８０７、ドラム８０７に取り付けられ、テープ８１７上への信号の記録及び再生をおこなう記録ヘッド及び再生ヘッドである回転ヘッド８０８、テープ８１７が沿って走行するためのドラム８０７の側面に設けられたリード溝８０９、全消去ヘッド８１０、キューヘッド８１１、キャプスタン８１２に押し当てられテープ８１７を巻き取りリール８０２側へ一定速度で送り込む役割を果たしているピンチローラ８１３、ガイドローラ８０５や傾角ガイド８０６等が固定されている可動部８１４、ガイド溝８１５、供給リール８０１または巻き取りリール８０２に連動したテープカウンタ８１６より構成される。
【０００４】
ここで、図９は従来の回転ヘッド磁気記録再生装置における再生ヘッドと増幅信号伝送用回転トランスと再生増幅器の関係を示す回路図である。再生ヘッド９０４ａ、９０４ｂそれぞれに再生増幅器９０３が備えられ、増幅信号伝送用回転トランス９０１、９０２が、再生増幅器９０３と等しい数だけ必要となる。
【特許文献１】実願平２−７０７３５号（実開平４−３１４０１号）のマイクロフィルム
【特許文献２】特公平６−７９３６３号公報
【特許文献３】特開昭６３−３０８７０１号公報
【発明の開示】
【発明が解決しようとする課題】
【０００５】
しかしながら、上記の回転ヘッド磁気記録再生装置の記録再生回路に電力を送ると、大電流が交流電力伝送信号伝送コイルに流れ、隣接する信号コイルにクロストーク電流が発生し、記録される信号または記録されているデータに影響を与えるという問題があった。これを回避するために隣接するコイル間の距離を大きくとる必要があるが、ＤＤＳドライブなどは回転シリンダ径が小さく、そのため、伝送チャンネルが増加すると、伝送チャンネル間の距離が充分に取れず、隣接コイル間でクロストーク電流が発生するという問題点があった。
【０００６】
本発明は、上記の問題点を解決するためになされたものであり、小型の回転シリンダを使用していながら、クロストーク電流の影響が少ない回転ヘッド磁気記録再生装置を提供することを目的とする。
【課題を解決するための手段】
【０００７】
上記課題を解決するために、請求項１に記載の回転ヘッド磁気記録再生装置は、回転シリンダ上の記録再生回路内に設けられた、複数のチャンネルに対応して配設された再生ヘッドにより再生された複数チャンネルの再生信号を、それぞれ増幅し、増幅信号を出力する再生増幅器と、前記増幅信号をステータ側に伝送する回転トランスを備えた回転ヘッド磁気記録再生装置において、前記記録再生回路に電源電力を伝送するための電力伝送用回転トランスの一次側の電流変化が交互に変化し、前記電流の積分値が０に近づくようにするものであることを特徴とする。
【０００８】
また、請求項２に記載の回転ヘッド磁気記録再生装置は、回転シリンダ上の記録再生回路内に設けられた、複数のチャンネルに対応して配設された再生ヘッドにより再生された複数チャンネルの再生信号を、それぞれ増幅し、増幅信号を出力する再生増幅器と、前記増幅信号をステータ側に伝送する回転トランスを備えた回転ヘッド磁気記録再生装置において、前記記録再生回路に電源電力を伝送するための電力伝送用回転トランスの一次側の電流パルスの最初のパルス幅を定常時のパルス幅の約２分の１にするものであることを特徴とする。
【発明の効果】
【０００９】
以上のように、本発明の請求項１に記載の回転ヘッド磁気記録再生装置によれば、回転シリンダ上の記録再生回路に電源電力を供給する電力伝送用回転トランスの一次側の電流変化を交互に変化させて電流の積分値が０に近づくようにしたので、クロストーク電流を大幅に削減でき、再生時に記録ヘッドへ電流が流れ、テープに記録されている情報にダメージを与えることが無くなり好適である。
【００１０】
また、本発明の請求項２に記載の回転ヘッド磁気記録再生装置によれば、回転シリンダ上の記録再生回路に電源電力を供給する電力伝送用回転トランスの一次側の電流の最初のパルス幅を定常時の約２分の１にしたので、クロストーク量は、４６ｄｂ以下を実現でき好適である。
【発明を実施するための最良の形態】
【００１１】
以下、本実施の形態について図面を参照しながら説明する。なお、ここで示す実施の形態はあくまでも一例であって、必ずしもこの実施の形態に限定されるものではない。
【００１２】
（実施の形態１）
本実施の形態１による回転ヘッド磁気記録再生装置について図を用いて説明する。図１は、本実施の形態１による回転ヘッド磁気記録再生装置における再生ヘッドと増幅信号伝送用回転トランスと再生増幅器の関係を示す回路図である。再生増幅器１０３に再生ヘッド１０４ａの増幅信号及び再生ヘッド１０４ｂの増幅信号のチャンネルの切り替え機能が搭載されている。ここでは、記録再生回路に電力伝送用回転トランス１０２を介して電源電力を伝送する電力伝送用信号パルスを用いて再生ヘッド１０４ａの増幅信号及び再生ヘッド１０４ｂの増幅信号のチャンネルの切り替えを行う。増幅信号の伝送には増幅信号伝送用回転トランス１０１のみ用いれば済み、再生ヘッドの数に応じて、増幅信号伝送用回転トランスを増やす必要がない。
【００１３】
ここで、例として、回転ヘッド磁気記録再生装置の回転シリンダ上に置かれた、中点タップを有する電力伝送用回転トランスを用いた記録再生回路の構成について図２を用いて説明を行う。図２に記録再生回路の回路図を示す。制御信号及び電力伝送用信号を発信する再生記録回路制御信号及び電力伝送信号発生回路２０９及び、再生記録回路制御信号及び電力伝送信号発生回路２０９から発信した信号２１８及び信号２１９及び、信号２１８及び信号２１９によって駆動するＦＥＴ２０１及び、電力伝送用回転トランス２０２より発生する電流２２０及び、再生記録回路制御信号検出回路入力信号２１２及び、電流２２０を直流に変換するブリッジタイプの整流器２０３及び、再生増幅器２０７及び、記録回路２１７及び、Ａチャンネル及びＢチャンネルそれぞれの記録ヘッド２１６及び、Ａチャンネル及びＢチャンネルそれぞれの再生ヘッド２０８と、再生記録回路制御信号検出回路入力信号２１２のパルスを解析し、再生増幅器２０７及び記録回路２１７に制御信号として与える再生記録回路制御信号検出回路２０６及び、再生増幅器２０７の利得を制御する信号２１３及び、記録ヘッド２１６及び再生ヘッド２０８の切り替えを行う信号２１４及び、記録回路２１７によって記録ヘッド２１６の記録電流を決定する信号２１５及び、増幅信号伝送用回転トランス２０４及び、２次再生増幅器２１０及び、記録信号をつくる記録信号発生回路２１１及び記録信号伝送用回転トランス２０５及び、電力伝送用回転トランス２０２からのクロストークを防ぐショートリング２２１より構成される。
【００１４】
次に、本実施の形態１による回転ヘッド磁気記録再生装置の記録再生回路の動作について説明する。再生記録回路制御信号及び電力伝送信号発生回路２０９で発生したＦＥＴ２０１の駆動電圧は、信号２１８と信号２１９の電圧で、お互いの位相が９０度ずれた信号になっている。通常はこの信号によってＦＥＴ２０１が動作し再生増幅器２０７及び記録回路２１７に電力供給をする。信号２１８及び信号２１９の組合せで決定される電流２２０は整流器２０３により直流に変換され記録再生回路に供給される。ここで、図３は信号２１８及び信号２１９の電圧及び、電流２２０の値の関係を示している。一方、再生記録回路制御信号検出回路２０６が、再生記録回路制御信号検出回路入力信号２１２のコマンドを解析し、制御信号２１３、２１４、２１５を再生増幅器２０７及び記録回路２１７に与える。信号２１３は再生増幅器２０７の利得を制御する信号で、信号２１４は記録ヘッド２１６及び再生ヘッド２０８の切り替えを行う信号である。信号２１５は記録回路２１７によって記録ヘッド２１６の記録電流を決定する信号である。信号２１４で選択された再生ヘッド２０８の信号は再生増幅器２０７で増幅され増幅信号伝送用回転トランス２０４を用い２次再生増幅器２１０に伝送され信号処理される。記録信号は記録信号発生回路２１１によって作られ、記録信号伝送用回転トランス２０５によって記録回路２１７に伝送される。ここで、前記電力伝送用信号パルスを用いて、再生増幅器のチャンネルの切り替え及び前記記録再生回路の制御をおこなう方法を示す。第一の方法は、前記電力伝送用信号パルスの異なる数の停止パルス数を有する複数の制御パターンに応じて前記チャンネルの切り替え及び前記記録再生回路の制御をおこなう方法である。第二の方法は、前記複数の制御パターンの組合せに応じて前記チャンネルの切り替え及び前記記録再生回路の制御をおこなう方法である。第三の方法は、前記電力伝送用信号パルスにＭＦＭ、ＦＭ、ＮＲＺＩのような変調をかけて前記チャンネルの切り替え及び前記記録再生回路の制御をおこなう方法である。以上３種類の方法が挙げられる。また、回転シリンダにテープが接触していないとき複雑な前記電力伝送信号パルスを伝送し、回転シリンダにテープが接触しているときは単純な前記電力伝送信号パルスを伝送するようにする。
【００１５】
ここで、前記電力伝送用信号パルスを用いて、前記チャンネルの切り替え及び前記記録再生回路の制御をおこなう方法の上記第二の方法における前記制御パターンの例を図を用いて説明する。図４に制御パターンを示す。コマンドは制御パターン１、制御パターン２、制御パターン３、制御パターン４、制御パターン５の５種類で構成される。制御パターン１は、電力伝送用信号パルスを１パルス抜いた後４パルスを抜くことによって構成される。このパターンは、これから送るコマンドは再生増幅器２０７の利得を制御する為のコマンドである事を示すコマンドである。このコマンドの後に１パルス、２パルス、４パルスを抜いた制御パターン３、制御パターン４、制御パターン５の３種類が発信されると再生増幅器２０７の利得を３段階に選択できる。制御パターン２は、電力伝送用信号パルスを２パルス抜いた後４パルスを抜くことによって構成される。このパターンは、これから送るコマンドは記録電流を制御する為のコマンドである事を示すコマンドである。このコマンドの後に制御パターン３、制御パターン４、制御パターン５の３種類が発信されると記録電流を３段階に選択できる。制御パターン３及び制御パターン４は、それぞれリード及びライトチャンネルに切替える為のコマンドである。制御パターン１又は２が発信された後、制御パターン３及び制御パターン５のうち１つのコマンドが発信される。その後、制御パターン１が発信されるとＡチャンネルが選択され、制御パターン２が発信されるとＢチャンネルが選択される。以上に示したように電力伝送用信号パルスの制御パターンを組み合わせる事により制御信号を形成し、再生増幅器のチャンネルの切り替え及び記録再生回路を制御する。
【００１６】
このように本実施の形態１による回転ヘッド磁気記録再生装置では、回転シリンダ上の記録再生回路に電源電力を伝送する電力伝送用信号パルスを用いて、再生増幅器のチャンネルの切り替え及び前記記録再生回路の制御をおこない、また、回転シリンダにテープが接触していないとき、複雑な前記記録再生回路を制御する制御信号を伝送し、前記回転シリンダにテープが接触しているときは単純な前記制御信号を伝送するので、回転シリンダ上に制御信号伝送用回転トランスを追加することなく、前記電力伝送信号パルスの周波数の分解能で前記再生増幅器のチャンネルの切り替え及び前記記録再生回路の制御がおこなえ、また前記記録再生回路の状態を変化させるタイミングを正確に実現できるので、回転シリンダの小型化または、増幅信号伝送用回転トランスの結合係数の向上が可能になり好適である。また、クロストーク電流によるテープへのダメージを軽減することができ、多量のデータを記録再生回路に送ることが可能となり好適である。
【００１７】
（実施の形態２）
本実施の形態２による回転ヘッド磁気記録再生装置の構成は、本実施の形態１による回転ヘッド磁気記録再生装置の構成と同一であるので構成の説明を省略する。
【００１８】
本実施の形態２による回転ヘッド磁気記録再生装置の動作を図を用いて説明する。本実施の形態２による回転ヘッド磁気記録再生装置は、回転シリンダ上の記録再生回路内に設けられた、複数のチャンネルに対応して配設された再生ヘッドにより再生された複数チャンネルの再生信号を、それぞれ増幅し、増幅信号を出力する再生増幅器と、前記増幅信号をステータ側に伝送する増幅信号伝送用回転トランスを備え、前記再生増幅器は、前記再生信号のチャンネル切り替え信号に応じてチャンネルを切り替えて増幅し、増幅信号をそれぞれ出力するものであり、前記複数のチャンネルで共用する単一の増幅信号伝送用回転トランスを備え、前記記録再生回路に電源電力を電力伝送用回転トランスを介して伝送する電力伝送手段を備え、前記記録再生回路に電源電力を伝送する電力伝送用信号パルスで、前記チャンネルの切り替え、及び前記記録再生回路の制御をおこなう。図５に本実施の形態２による回転ヘッド磁気記録再生装置における再生信号と電力伝送信号とＡｃｈ／Ｂｃｈ切り替え信号のタイミングを示す。回転シリンダ上に各々２つの再生ヘッド及び記録ヘッドが各々対面して配置されており記録／再生ヘッドは９０度の角度を持って取り付けられている。そのためＡチャンネルの再生信号５０１及びＢチャンネルの再生信号５０３の間には再生信号休止期間５０２があり、Ｂチャンネルの再生信号５０３の後には、再生信号休止期間５０４がある。この再生信号休止期間５０２、５０４の時に前記記録再生回路に電源電力を伝送する電力伝送用信号パルス５０５、５０６を伝送する。また、チャンネルの切り替え信号は、Ａｃｈ／Ｂｃｈ切り替え信号５０７で示されるように、電力伝送用信号パルス５０５、５０６の先頭部分で伝送される。ここでは、電力伝送用信号パルス５０５の先頭部分には停止パルスは無く、電力伝送用信号パルス５０６の先頭部分には停止パルスが有り、前記停止パルスの有無でチャンネルの切り換えをおこなうようにしている。図６に電力を充電する回路を示す。回転トランス駆動回路６０２から、電力伝送用回転トランス６０１を通して再生期間以外の期間に間欠で伝送された電力伝送用信号パルスは整流され、コンデンサ６０３に充電される。再生時にはコンデンサ６０３に充電された電力を用い前記再生増幅器は動作する。また、再生時以外の期間に電力伝送用信号パルスを送ることによる再生ヘッドへの信号の漏れにより過渡的に前記再生増幅器が飽和状態になった時には、再生状態にスムーズに移行するよう電力伝送用信号パルスで前記再生増幅器をミューティング状態にするようにしてある。また、クロストーク電流を軽減するため前記電力伝送信号用のコイルの一次側の電流変化が交互に変化し、前記電流の積分値が０に近づくようにしてある。
【００１９】
このように本実施の形態２による回転ヘッド磁気記録再生装置では、以下の効果が得られる。回転シリンダ上の前記記録再生回路に電源電力を供給する場合に、再生期間以外の期間に間欠で電力伝送用信号パルスを伝送するので、前記電力伝送用信号パルスが再生信号に影響を与えることを防ぐことができ好適である。また、再生時以外の期間に電力伝送を行ったことによる再生ヘッドへの信号の漏れによって過渡的に前記再生増幅器が飽和状態になりスムーズに再生状態に移行しなくなる場合に前記電力伝送用信号パルスで前記記録再生回路内の前記再生増幅器をミューティング状態にするので、再生状態への移行をスムーズに行うことができるので好適である。また、前記電力伝送用信号パルスで、前記チャンネルの切り替え及び前記記録再生回路の制御をおこなうこととし、前記再生増幅器に対して制御信号を送るとき、前記電力伝送パルスの信号の先頭部分で前記再生増幅器のチャンネル切り替え信号を送る機能を備えたので、回転シリンダ上に制御信号伝送コイルを追加することなく、前記記録再生回路の制御ができ、前記再生増幅器の状態を切り替えるマージンを十分確保することができるので好適である。また、電力伝送コイルの一次側の電流変化を交互に変化させて電流の積分値が０に近づくようにしたので、電力伝送信号が再生信号に影響を与えることを防ぎ、クロストーク電流を大幅に削減でき、再生時に記録ヘッドへ電流が流れ、テープに記録されている情報にダメージを与えることが無くなり好適である。
【００２０】
（実施の形態３）
本実施の形態３による回転ヘッド磁気記録再生装置は、回転シリンダ上の記録再生回路内に設けられた、複数のチャンネルに対応して配設された再生ヘッドにより再生された複数チャンネルの再生信号を、それぞれ増幅し、増幅信号を出力する再生増幅器と、前記増幅信号をステータ側に伝送する増幅信号伝送用回転トランスと、前記記録再生回路に電源電力を伝送するための電力伝送用回転トランスを備えている。
【００２１】
ここで、図７は本実施の形態３による回転ヘッド磁気記録再生装置の電力伝送用回転トランスの一次側の電流パルスの波形図である。前記電流パルスの最初のパルス幅７０１が前記電流パルスの定常時のパルス幅７０２の約２分の１になっている。
【００２２】
このように本実施の形態３による回転ヘッド磁気記録再生装置では、前記記録再生回路に電源電力を伝送するための前記電力伝送用回転トランスの一次側の電流の最初のパルス幅を定常時の約２分の１にしたので、クロストーク量は４６ｄＢ以下を実現できる。
【産業上の利用可能性】
【００２３】
本発明の回転ヘッド磁気記録再生装置は、小型の回転シリンダを使用していながらクロストーク電流の影響が少ないという点で有用である。
【図面の簡単な説明】
【００２４】
【図１】本実施の形態１による回転ヘッド磁気記録再生装置における再生ヘッドと増幅信号伝送用回転トランスと再生増幅器の関係を示す回路図である。
【図２】本実施の形態１による回転ヘッド磁気記録再生装置における記録再生回路の回路図である。
【図３】本実施の形態１による回転ヘッド磁気記録再生装置における信号４１８、信号４１９、電流４２０のタイミングを示す図である。
【図４】本実施の形態１による回転ヘッド磁気記録再生装置における制御パターンを示す図である。
【図５】本実施の形態２による回転ヘッド磁気記録再生装置における再生信号と電力伝送用信号パルスとＡｃｈ／Ｂｃｈ切り替え信号のタイミングを示す図である。
【図６】本実施の形態２による回転ヘッド磁気記録再生装置における電力を充電する部分の回路図である。
【図７】本実施の形態３による回転ヘッド磁気記録再生装置における電力伝送用回転トランスの一次側の電流パルスの波形図である。
【図８】従来の回転ヘッド磁気記録再生装置の構成を示す図である。
【図９】従来の回転ヘッド磁気記録再生装置における再生ヘッドと増幅信号伝送用回転トランスと再生増幅器の関係を示す回路図である。
【符号の説明】
【００２５】
１０１  増幅信号伝送用回転トランス
１０２  電力伝送用回転トランス
１０３  再生増幅器
１０４ａ  再生ヘッド
１０４ｂ  再生ヘッド
２０１  ＦＥＴ
２０２  電力伝送用回転トランス
２０３  整流器
２０４  増幅信号伝送用回転トランス
２０５  記録信号伝送用回転トランス
２０６  再生記録回路制御信号検出回路
２０７  再生増幅器
２０８  再生ヘッド
２０９  再生記録回路制御信号及び電力伝送信号発生回路
２１０  ２次再生増幅器
２１１  記録信号発生回路
２１２  再生記録回路制御信号検出回路入力信号
２１３  制御信号
２１４  制御信号
２１５  制御信号
２１６  記録ヘッド
２１７  記録回路
２１８  信号
２１９  信号
２２０  電流
２２１  ショートリング
５０１  Ａチャンネル再生信号
５０２  再生信号休止期間
５０３  Ｂチャンネル再生信号
５０４  再生信号休止期間
５０５  電力伝送用信号パルス
５０６  電力伝送用信号パルス
５０７  Ａｃｈ／Ｂｃｈ切り替え信号
６０１  電力伝送用回転トランス
６０２  電力伝送用回転トランス駆動回路
６０３  コンデンサ
７０１  最初のパルス幅
７０２  定常時のパルス幅
８０１  供給リール
８０２  巻き取りリール
８０３  固定ガイド
８０４  ガイド
８０５  ガイドローラ
８０６  傾角ガイド
８０７  ドラム
８０８  回転ヘッド
８０９  リード溝
８１０  全消去ヘッド
８１１  キューヘッド
８１２  キャプスタン
８１３  ピンチローラ
８１４  可動部
８１５  ガイド溝
８１６  テープカウンタ
９０１  増幅信号伝送用回転トランス
９０２  増幅信号伝送用回転トランス
９０３  再生増幅器
９０４ａ  再生ヘッド
９０４ｂ  再生ヘッド
【図１】
2006059529.tif 000003
【図２】
2006059529.tif 000004
【図３】
2006059529.tif 000005
【図４】
2006059529.tif 000006
【図５】
2006059529.tif 000007
【図６】
2006059529.tif 000008
【図７】
2006059529.tif 000009
【図８】
2006059529.tif 000010
【図９】
2006059529.tif 000011